(57)【要約】【課題】回転させることが困難なプーリがある場合においても、ベルトの取付けを容易に行うことができるベルト取付け治具及びベルト取付け方法を提供すること。【解決手段】ベルト取付け治具１０が、従動軸に取り付けられたプーリ３の回転軸を中心として、プーリ３に対して回動可能なプーリ設置部１１と、プーリ設置部１１と同一の回転軸を有し、回転軸方向において連結された本体部１２と、プーリ３の外周よりも径方向外側へ突出するように、本体部１２から突設され、且つ、本体部１２の回転軸に沿って本体部１２からプーリ設置部１１とは反対側の方向へ離れるに従い本体部１２の回転軸から遠ざかる傾斜面１３ａを有するベルト保持部と、ベルト保持部１３により保持されたベルト５をプーリ３のプーリ溝３ａまで案内するガイド部１４と、本体部１２を、回転軸を中心として回動させる回動部１５とを備えている。【選択図】図３
2012087843.tif 000002
【特許請求の範囲】
【請求項１】
外周にプーリ溝を有する複数のプーリ間に、周長方向に伸縮可能なベルトを、各プーリ間の軸間距離を固定したまま巻掛けて取り付けるに際し、前記複数のプーリのうちの一のプーリに設置して使用する、ベルト取付け治具であって、
前記一のプーリの一側面に設置され、前記一のプーリの回転軸を中心として、前記一のプーリに対して回動可能なプーリ設置部と、
前記プーリ設置部と、このプーリ設置部の回転軸方向において連結され、前記プーリ設置部の回転軸と同一の回転軸を有する本体部と、
前記一のプーリの外周よりも径方向外側へ突出するように、前記本体部の外表面から突設され、且つ、前記本体部の回転軸に沿って前記本体部から前記プーリ設置部とは反対側の方向へ離れるに従い前記本体部の回転軸から遠ざかる傾斜面を有し、この傾斜面においてベルトを内側から保持するベルト保持部と、
前記ベルト保持部の前記本体部側の一端と連結され、前記ベルト保持部により保持されたベルトを前記一のプーリのプーリ溝まで案内するガイド部と、
前記本体部又は前記ベルト保持部に設けられ、前記本体部を、この本体部の回転軸を中心として回動させる回動部と
を備えていることを特徴とするベルト取付け治具。
【請求項２】
前記ガイド部は、前記一のプーリの外周よりも径方向外側の、この一のプーリの外周と対向する位置に位置されるものであり、且つ、前記ベルト保持部の傾斜面と連続する傾斜面を有していることを特徴とする請求項１に記載のベルト取付け治具。
【請求項３】
前記ベルト保持部の前記傾斜面は、このベルト保持部の傾斜面の傾斜軸に対して直角をなす方向に曲率を有し、前記本体部の回転軸から遠ざかる方向に凸の円弧状の傾斜面であり、
前記ガイド部の前記傾斜面も同様に、このガイド部の傾斜面の傾斜軸に対して直角をなす方向に曲率を有し、前記本体部の回転軸から遠ざかる方向に凸の円弧状の傾斜面であることを特徴とする請求項２に記載のベルト治具装置。
【請求項４】
前記回動部が、棒状体の回転ハンドルを有していることを特徴とする請求項１乃至３の何れか一項に記載のベルト取付け治具。
【請求項５】
請求項１〜４の何れか一項に記載のベルト取付け治具を用いて、駆動軸に取り付けられたプーリ及び少なくとも1つの従動軸に取り付けられたプーリを含む、外周にプーリ溝を有する複数のプーリ間に、周長方向に伸縮可能なベルトを、各プーリ間の軸間距離を固定したまま巻掛けて取り付けるベルト取付け方法であって、
前記複数のプーリのうちの前記従動軸に取り付けられた一のプーリを除く他のプーリに前記ベルトを巻掛ける第１工程と、
前記ベルト保持部を前記ベルトの内周側に位置させ、且つ、前記プーリ設置部を、前記一のプーリの回転軸を中心として、前記一のプーリに対して回動可能となるように前記一のプーリの一側面に設置する第２工程と、
前記回動部により、前記本体部をこの本体部の回転軸を中心に回動させることで、前記ベルトを掬いあげて前記ベルト保持部の傾斜面において保持する第３工程と、
前記第３工程の後、前記回動部により、前記本体部をこの本体部の回転軸を中心にさらに回動させることで、前記ベルトを、前記ベルト保持部の傾斜面から前記ガイド部へ滑らしながら、前記一のプーリのプーリ溝に係合させる第４工程と
を備えていることを特徴とするベルト取付け方法。
【発明の詳細な説明】
【技術分野】
【０００１】
本発明は、２以上の複数のプーリにベルト取り付ける為のベルト取付け治具、及びベルト取付け方法に関する。
【背景技術】
【０００２】
従来から、ベルトを複数のプーリに取り付ける為のベルト取付け治具としては種々のものが提案されており、例えば、下記特許文献１、及び２に記載された治具がある。下記特許文献１、及び２に記載された治具は、例えば、２つのプーリ間にベルトを巻掛ける場合には、この２つのプーリを其々回転させてベルトを回転（移動）させながら、ベルトをプーリに取り付けるように構成されている。
【先行技術文献】
【特許文献】
【０００３】
【特許文献１】米国特許出願公開第２０１０／０１７３７３７号明細書
【特許文献２】特開２００６−３００１７２号公報
【発明の概要】
【発明が解決しようとする課題】
【０００４】
しかしながら、特許文献１及び２に記載された治具は、ベルトを巻掛ける複数のプーリのうち、自動車用エンジンのクランクプーリ等の重量が大きく回転させることが困難なプーリが１つでもある場合には、このプーリにより取付け時においてベルトを回転させることができないため、使用することができない。
【０００５】
そこで、本発明は、上記のような問題を解決するためになされたものであり、その目的とするところは、回転させることが困難なプーリがある場合においても、ベルトの取付けを容易に行うことができるベルト取付け治具及びベルト取付け方法を提供することにある。
【課題を解決するための手段】
【０００６】
上記課題を解決するために、本発明のベルト取付け治具は、外周にプーリ溝を有する複数のプーリ間に、周長方向に伸縮可能なベルトを、各プーリ間の軸間距離を固定したまま巻掛けて取り付けるに際し、前記複数のプーリのうちの一のプーリに設置して使用する、ベルト取付け治具であって、前記一のプーリの一側面に設置され、前記一のプーリの回転軸を中心として、前記一のプーリに対して回動可能なプーリ設置部と、前記プーリ設置部と、このプーリ設置部の回転軸方向において連結され、前記プーリ設置部の回転軸と同一の回転軸を有する本体部と、前記一のプーリの外周よりも径方向外側へ突出するように、前記本体部の外表面から突設され、且つ、前記本体部の回転軸に沿って前記本体部から前記プーリ設置部とは反対側の方向へ離れるに従い前記本体部の回転軸から遠ざかる傾斜面を有し、この傾斜面においてベルトを内側から保持するベルト保持部と、前記ベルト保持部の前記本体部側の一端と連結され、前記ベルト保持部により保持されたベルトを前記一のプーリのプーリ溝まで案内するガイド部と、前記本体部又は前記ベルト保持部に設けられ、前記本体部を、この本体部の回転軸を中心として回動させる回動部とを備えていることを特徴とする。
【０００７】
上記の構成によれば、複数のプーリのうちの一のプーリを除く他のプーリにベルトを巻掛けた後、このベルトを一のプーリにベルトを取り付ける際において、ベルト保持部をベルトの内周側に配置させ、回動部により本体部（ベルト取付け治具）をこの本体部の回転軸を中心として回動させることにより、ベルトをベルト保持部の傾斜面に容易に掬いあげて、この傾斜面において保持することができる。
また、回動部により本体部をこの本体部の回転軸を中心としてさらに回動させて、ベルト保持部をプーリの外周に沿って移動させることにより、ベルトを、ベルト保持部の傾斜面からガイド部へ滑らせながら一のプーリのプーリ溝に係合させることができる。
なお、このとき、回動部による本体部の回動は、一のプーリを積極的に回転させるために行うものではないため、この本体部の回動に伴って、一のプーリが回転することは殆どなく、また、ベルトが回転することはない。従って、回動部による本体部の回動により、ベルト保持部は、ベルトの内周面を滑りながら一のプーリの外周に沿って移動することになる。その結果、プーリを１つも回転させることなく、ベルトをプーリに取り付けることができるので、回転させることが困難なプーリがある場合においても、容易にベルトをプーリに取り付けることができる。
また、本体部は一のプーリの回転軸を中心として回動されるため、ベルト保持部及びガイド部それぞれと一のプーリの回転軸との間の距離は回動中一定に保つことができ、その結果、ベルトを一のプーリのプーリ溝に安定的に係合させることができる。
また、ベルトは、ベルト保持部の傾斜面に傾斜状に保持されるため、ベルト保持部からガイド部へスムーズにベルトを滑らせることができる。
またさらに、従来のようにプーリを回転させてベルトを取り付けるのではなく、ベルト取付け治具自体をプーリの回転軸を中心として回動させることでベルトを取り付けているため、ベルトを取り付ける際の適切な力加減でベルト取付け治具を回動させることができる。
【０００８】
また、本発明のベルト取付け治具において、前記ガイド部は、前記一のプーリの外周よりも径方向外側の、この一のプーリの外周と対向する位置に位置されるものであり、且つ、前記ベルト保持部の傾斜面と連続する傾斜面を有していることが好ましい。上記の構成によれば、ガイド部がベルト保持部の傾斜面と連続する傾斜面を有しているため、ベルトをベルト保持部からガイド部へスムーズに滑らせることができる。また、ガイド部は、一のプーリの外周よりも径方向外側の、一のプーリのプーリ溝に対向した位置に位置されており、且つガイド部が上記のように傾斜面を有しているため、ベルトをガイド部から一のプーリのプーリ溝へスムーズに移動させることができる。
【０００９】
また、本発明のベルト取付け治具において、前記ベルト保持部の前記傾斜面は、このベルト保持部の傾斜面の傾斜軸に対して直角をなす方向に曲率を有し、前記本体部の回転軸から遠ざかる方向に凸の円弧状の傾斜面であり、前記ガイド部の前記傾斜面も同様に、このガイド部の傾斜面の傾斜軸に対して直角をなす方向に曲率を有し、前記本体部の回転軸から遠ざかる方向に凸の円弧状の傾斜面であることが好ましい。上記の構成によれば、ベルト保持部の傾斜面は円弧状の傾斜面であるため、この傾斜面の幅方向の端部である円弧端部において、回動部による本体部の回動により、他のプーリに巻掛けられたベルトをスムーズに掬いあげることができ、また、この傾斜面の幅方向の中央部である円弧中央部において、掬いあげたベルトを保持することができる。また、ガイド部の傾斜面も円弧状の傾斜面であるため、ベルト保持部から滑ってきたベルトを一のプーリのプーリ溝へスムーズに移動させることができる。
【００１０】
また、本発明のベルト取付け治具において、前記回動部が、棒状体の回転ハンドルを有していることが好ましい。上記の構成によれば、回動部が、棒状体の回転ハンドルであるため、本体部を容易に回動させることができる。
【００１１】
また、本発明のベルト取付け方法は、上述のベルト取付け治具を用いて、駆動軸に取り付けられたプーリ及び少なくとも1つの従動軸に取り付けられたプーリを含む、外周にプーリ溝を有する複数のプーリ間に、周長方向に伸縮可能なベルトを、各プーリ間の軸間距離を固定したまま巻掛けて取り付けるベルト取付け方法であって、前記複数のプーリのうちの前記従動軸に取り付けられた一のプーリを除く他のプーリに前記ベルトを巻掛ける第１工程と、前記ベルト保持部を前記ベルトの内周側に位置させ、且つ、前記プーリ設置部を、前記一のプーリの回転軸を中心として、前記一のプーリに対して回動可能となるように前記一のプーリの一側面に設置する第２工程と、前記回動部により、前記本体部をこの本体部の回転軸を中心に回動させることで、前記ベルトを掬いあげて前記ベルト保持部の傾斜面において保持する第３工程と、前記第３工程の後、前記回動部により、前記本体部をこの本体部の回転軸を中心にさらに回動させることで、前記ベルトを、前記ベルト保持部の傾斜面から前記ガイド部へ滑らしながら、前記一のプーリのプーリ溝に係合させる第４工程とを備えていることを特徴とする。
【００１２】
上記の構成によれば、複数のプーリのうちの従動軸に取り付けられた一のプーリを除く他のプーリにベルトを巻掛けた後、このベルトを一のプーリにベルトを取り付ける際において、ベルト保持部をベルトの内周側に配置させ、回動部により本体部（ベルト取付け治具）をこの本体部の回転軸を中心として回動させることにより、ベルトをベルト保持部の傾斜面に容易に掬いあげて、この傾斜面において保持することができる。
また、回動部による本体部の回動は、一のプーリを積極的に回転させるために行うものではなく、且つ、ベルトは駆動軸に取り付けられたプーリにより回転し難くなっているため、この本体部の回動に伴って、一のプーリが回転することは殆どなく、またベルトが回転することはない。従って、回動部による本体部の回動により、ベルト保持部は、ベルトの内周面を滑りながら一のプーリの外周に沿って移動することになる。その結果、プーリを１つも回転させることなく、ベルトをプーリに取り付けることができるので、回転させることが困難なプーリがある場合においても、容易にベルトをプーリに取り付けることができる。
また、回動部により本体部をこの本体部の回転軸を中心としてさらに回動させて、ベルト保持部を一のプーリの外周に沿って移動させることで、ベルトを、ベルト保持部の傾斜面からガイド部へ滑らせながら一のプーリのプーリ溝に係合させることができる。なお、このとき、ベルト保持部の傾斜面により、ベルトは傾斜状に保持されているため、上記ベルト保持部の回動に伴って、ベルト保持部からガイド部へスムーズに滑ることになる。
またさらに、従来のようにプーリを回転させてベルトを取り付けるのではなく、ベルト取付け治具自体をプーリの回転軸を中心として回動させることでベルトを取り付けているため、ベルトを取り付ける際の適切な力加減でベルト取付け治具を回動させることができる。
【発明の効果】
【００１３】
回転させることが困難なプーリがある場合においても、ベルトの取付けを容易に行うことができる。
【図面の簡単な説明】
【００１４】
【図１】本発明の実施形態に係るエンジン本体の部分斜視図である。
【図２】本発明の実施形態に係るオルタネータプーリの説明図であり、（ａ）は上面図、（ｂ）は（ａ）のＡ−Ａ断面図である。
【図３】本発明の実施形態に係るベルト取付け治具の回動部を省略した六面図であり、（ａ）は正面図、（ｂ）は背面図、（ｃ）は上面図、（ｄ）は底面図、（ｅ）は右側面図、（ｆ）は左側面図である。
【図４】本発明の実施形態に係るベルト取付け治具をオルタネータプーリに装着する様子を示した説明図であり、（ａ）は装着前の状態図、（ｂ）は（ａ）のＢ−Ｂ断面図、（ｃ）は装着後の状態図、（ｄ）は（ｃ）のＣ−Ｃ断面図である。
【図５】本発明の実施形態に係るベルト取付け治具の使用方法の第一説明図である。
【図６】本発明の実施形態に係るベルト取付け治具の使用方法の第二説明図である。
【発明を実施するための形態】
【００１５】
次に、本発明の実施の形態について図面を参照して説明する。本実施形態は、３つのプーリにベルトを巻掛けて取り付ける場合に本発明を適用した一例である。尚、以下の説明においては、便宜上、上下方向を図１、２、４、５及び６で図示する方向と定義する。
【００１６】
図１に示すように、エンジン本体１には、エンジンのクランク軸（駆動軸）に取り付けられたクランクプーリ２と、オルタネータの入力軸（従動軸）に取り付けられたオルタネータプーリ３と、ウォータポンプのポンプ軸（従動軸）に取り付けられたウォータポンププーリ４とが、所定の軸間距離を隔てて回転自在に支持されている。このクランクプーリ２、オルタネータプーリ３、及びウォータポンププーリ４との間には、ベルト５が巻掛けられており、クランクプーリ２の回転力を、ベルト５を介してオルタネータプーリ３及びウォータポンププーリ４に伝達させて、オルタネータやウォータポンプが駆動されるようになっている。なお、クランクプーリ２と、オルタネータプーリ３と、ウォータポンププーリ４との各プーリ間の軸間距離は変更不能とされ、また、ベルト５に対して張力を付与する所謂オートテンショナ（張力付与手段）は搭載されていない。
【００１７】
また、本実施形態において、ベルト５は、図１に示すように、内側部分において周長方向に延びる複数のＶリブ５ａを有するＶリブベルトであり、その周長方向において若干伸縮可能な所謂低モジュラスベルトである。低モジュラスベルトは、心線にポリアミド繊維等を用いることで、弾性率を比較的低くしたものであり、高弾性率のもの（所謂高モジュラスベルト）と比較して急激な張力低下が抑制される。
【００１８】
（オルタネータプーリ３の構造）
オルタネータプーリ３は、図２に示すように、ベルト５の複数のＶリブ５ａが其々係合される複数のＶ字溝を有するプーリ溝３ａを有し、このプーリ溝３ａをオルタネータプーリ３の回転軸方向で挟む一対のプーリフランジ３ｂ、３ｃを備えている。このプーリフランジ３ｂ・３ｃは、図２の（ｂ）に示すように、上記プーリ溝３ａよりオルタネータプーリ３の径外方向へ突出して形成されている。なお、プーリフランジ３ｃは、プーリフランジ３ｂよりもオルタネータプーリ３の径方向外側へ若干突出して形成されている。オルタネータプーリ３のボス部６には、オルタネータの図示しない入力軸が挿入される。また、符号３ｄ、３ｅは、オルタネータプーリ３の側面を示す。このオルタネータプーリ３の側面３ｄにおいて、オルタネータプーリ３の回転軸を中心とした輪状の回動溝３ｆが形成されている。オルタネータプーリ３は、図１に示すように、側面３ｄを上に、側面３ｅを下にしてオルタネータの入力軸に取り付けられている。
【００１９】
クランクプーリ２、及びウォータポンププーリ４の構造は、プーリ径等の違いはあるが、オルタネータプーリ３の構造と略同じであるため、説明は省略する。
【００２０】
（ベルト取付け治具１０の構成）
次に、図３及び図４を参照しつつ、本実施形態に係るベルト取付け治具１０について説明する。なお、本実施形態では、クランクプーリ２、及びウォータポンププーリ４にベルト５を巻掛けた状態で、ベルト取付け治具１０を用いてベルト５をオルタネータプーリ３に巻掛けて、ベルト５を３つのプーリ２、３、４に取り付ける。
【００２１】
図３及び図４に示すように、ベルト取付け治具１０は、プーリ設置部１１、本体部１２、ベルト保持部１３、ガイド部１４、及び回動部１５を備えている
【００２２】
プーリ設置部１１は、オルタネータプーリ３の回転軸を中心として、このオルタネータプーリ３に対して回動可能に、オルタネータプーリ３の側面３ｄに設置される。本実施形態においては、プーリ設置部１１は、円筒状の部材であり、プーリ設置部１１の回転軸とオルタネータプーリ３の回転軸とが一致するように、オルタネータプーリ３の回動溝３ｆに回動可能に挿入嵌合される。具体的には、プーリ設置部１１の内周径ｄ１が回動溝３ｆの内周径ｄ３（ボス部６の外周径）よりも若干大きく、プーリ設置部１１の外周径ｄ２が回動溝３ｆの外周径ｄ４よりも若干小さく設定されている（図４の（ｂ）参照）。この結果、プーリ設置部１１は、オルタネータプーリ３の回転軸を中心として、姿勢よく安定して回動することができる。なお、プーリ設置部１１の高さｈ１は、回動溝３ｆの溝深さｈ２よりも短く設定されている（図４の（ｂ）、（ｄ）参照）。
【００２３】
本体部１２は、プーリ設置部１１の回転軸と同一の回転軸を有し、プーリ設置部１１の回転軸方向において連結されている。本実施形態においては、本体部１２は円柱状の部材であり、その直径が、プーリ設置部１１の外周直径よりも大きく、オルタネータプーリ３のプーリ径（プーリの直径）と略同じに設定されている。また、プーリ設置部１１をオルタネータプーリ３の回動溝３ｆに回動可能に嵌合させた際に（ベルト取付け治具１０をオルタネータプーリ３に装着した際）において、本体部１２のプーリ設置部１１側の面の外周縁部は、オルタネータプーリ３の側面３ｄの外周縁部と摺動可能に当接される（図４の（ｄ）参照）。
【００２４】
また、プーリ設置部１１をオルタネータプーリ３の回動溝３ｆに回動可能に嵌合させた状態で、回動部１５を回動させることにより、本体部１２は、本体部１２の回転軸（オルタネータプーリ３の回転軸）を中心として回動される。この本体部１２の回動に伴って、プーリ設置部１１、ベルト保持部１３、及びガイド部１４も一体的に、本体部１２の回転軸（オルタネータプーリ３の回転軸）を中心として回動されることになる。即ち、プーリ設置部１１をオルタネータプーリ３の回動溝３ｆに回動可能に嵌合させた状態で、回動部１５を回動させることにより、ベルト取付け治具１０をオルタネータプーリ３の回動軸を中心として回動させることができる。
【００２５】
ベルト保持部１３は、プーリ設置部１１をオルタネータプーリ３の回動溝３ｆに回動可能に嵌合させた際に、オルタネータプーリ３の外周よりも径方向外側へ突出するように、本体部１２の外表面から突設されている。また、ベルト保持部１３は、本体部１２の回転軸に沿って本体部１２からプーリ設置部１１とは反対側の方向へ離れるに従い本体部１２の回転軸から遠ざかる傾斜面１３ａを有している（図３の（ｅ）参照）。この傾斜面１３ａは、この傾斜面１３ａの傾斜軸に対して直角をなす方向に曲率を有し、本体部１２の回転軸から遠ざかる方向に凸の円弧状をなしている。このように、傾斜面１３ａが円弧状をなしているため、オルタネータプーリ３にベルト５を取り付ける際に、この傾斜面１３ａの幅方向である円弧端部１３ｂにおいて、他のプーリ２、４に巻掛けられたベルト５をスムーズに掬いあげることができ、且つ、この傾斜面１３ａの幅方向の中央部である円弧中央部１３ｃにおいて、掬いあげられたベルト５を保持することができる。
【００２６】
ベルト保持部１３の傾斜面１３ａの傾斜軸と、本体部１２の回転軸とでなす角度α（図３の（ｅ）参照）は、オルタネータプーリ３にベルト５を取り付ける際において、傾斜面１３ａにおいてベルト５を保持することが可能であり、且つ、ベルト保持部１３の本体部１２の回転軸を中心とした回動（ベルト取付け治具１０のオルタネータプーリ３の回転軸を中心とした回動）に伴って、傾斜面１３ａにより保持されているベルト５をガイド部１４の傾斜面１４ａに向けて滑らすことが可能である角度範囲から適宜選択される。具体的には、ベルト保持部１３は、角度αが０度に近いほど、ベルト５を保持する保持機能が増加するが、ベルト保持部１３の上記の回動時における、傾斜面１３ａにより保持されているベルト５をガイド部１４に滑らす滑り機能は低下する。一方、ベルト保持部１３は、角度αが９０度に近いほど、上記滑り機能は増加するが、上記保持機能は低下する。従って、角度αは、ベルト５の性状やエンジン本体１の各プーリ２、３、４の配置位置等の使用状況に応じた適切な保持機能及び滑り機能をベルト保持部１３が有する適切な角度が選択される。なお、ベルト保持部１３の保持機能及び滑り機能を調整することができるように、ベルト保持部１３において、この角度αを調整できるようにされていてもよい。
【００２７】
本実施形態においては、ベルト保持部１３は、図３及び図４に示すように、本体部１２の外表面から本体部１２の回転軸と直角をなす方向に所定箇所位置まで延びた後に、この所定箇所位置において屈曲して、上記傾斜面１３ａの傾斜軸に沿って延びる円柱状の部材である。また、ベルト保持部１３の端部には、図３に示すように、回動部１５の端部が嵌合される貫通穴１３ｄが形成されている。
【００２８】
ガイド部１４は、プーリ設置部１１をオルタネータプーリ３の回動溝３ｆに回動可能に嵌合させた際に、オルタネータプーリ３の外周よりも径方向外側の、オルタネータプーリ３の外周と対向する位置に位置されるように、ベルト保持部１３の本体部１２側の一端に連結された板状の部材であり、ベルト保持部１３により保持されたベルト５をプーリ溝３ａに案内することができるようにされている。
【００２９】
また、ガイド部１４は、ベルト保持部１３の傾斜面１３ａと連続する傾斜面１４ａを有している。この傾斜面１４ａは、ベルト保持部１３の傾斜面１３ａと同様に、この傾斜面１４ａの傾斜軸に対して直角をなす方向に曲率を有し、本体部１２の回転軸から遠ざかる方向に凸の円弧状をなしている（図３の（ｅ）参照）。これにより、ベルト保持部１３から滑ってきたベルト５をオルタネータプーリ３のプーリ溝３ａへスムーズに移動させることができる。
【００３０】
ガイド部１４の傾斜面１４ａの傾斜軸と、本体部１２の回転軸とでなす角度β（図３の（ｅ）参照）は、ベルト保持部１３の傾斜面１３ａから滑ってきたベルト５をオルタネータプーリ３のプーリ溝３ａへスムーズに移動させることができる角度に設定されている。なお、この角度βは、ベルト保持部１３の傾斜面１３ａから滑ってきたベルト５の滑りの勢いを低減し、オルタネータプーリ３のプーリ溝３ａに係合する直前のベルト５を支持するために、角度αと比べて若干鋭角であることが好ましい。また、ベルト保持部１３の傾斜面１３ａにより保持されているベルト５をガイド部１４にスムーズに滑らせるために、ガイド部１４の傾斜面１４ａの曲率は、ベルト保持部１３の傾斜面１３ａの曲率と比べて、同じか又は大きいことが好ましく、また、ガイド部１４の傾斜面１４ａの幅方向長さは、ベルト保持部１３の傾斜面１３ａの幅方向長さと比べて、同じか又は小さいことが好ましい。なお、ガイド部１４がベルト保持部１３に対してこの角度βを調整可能に連結されていてもよい。
【００３１】
また、プーリ設置部１１をオルタネータプーリ３の回動溝３ｆに回動可能に嵌合させた際において、ガイド部１４の傾斜面１４ａにおける本体部１２の回転軸側の端部１４ｂは、オルタネータプーリ３のプーリフランジ３ｂよりもオルタネータプーリ３の径方向内側にならない範囲で、プーリフランジ３ｃよりも径方向内側に位置されている（図４の（ｄ）参照）。これにより、ガイド部１４の傾斜面１４ａとオルタネータプーリ３のプーリ溝３ａとの距離を近くすることができるので、ガイド部１４からオルタネータプーリ３のプーリ溝３ａへ安定的にベルト５を移動させることができる。また、プーリ設置部１１をオルタネータプーリ３の回動溝３ｆに回動可能に嵌合させた際において、ガイド部１４の傾斜面１４ａの端部１４ｂは、オルタネータプーリ３のプーリ溝３ａにおける最も側面３ｅ側（下側）にあるＶ溝と対向する位置、又はそれよりも下方の位置に位置されている（図４の（ｄ）参照）。これにより、ベルト５において最も下側にあるＶリブ５ａを、このプーリ溝３ａにおける他のＶ溝に係合されることなく、最も下側にあるＶ溝に正確に係合させることができる。
【００３２】
回動部１５は、円柱棒状体の回転ハンドルであり、ベルト保持部１３の貫通穴１３ｄに挿入嵌合されている。上述したように、プーリ設置部１１をオルタネータプーリ３の回動溝３ｆに回動可能に嵌合させた状態で、回動部１５をオルタネータプーリ３の回転軸を中心として回動させることにより、プーリ設置部１１、本体部１２、ベルト保持部１３、及びガイド部１４が一体的に、オルタネータプーリ３の回転軸を中心として回動するようになっている。また、回動部１５が円柱棒状体の回転ハンドルであるため、本体部１２の回転軸を中心として本体部１２（ベルト取付け治具１０）を容易に回動させることができる。
【００３３】
（ベルト取付け治具１０の使用方法）
次に、ベルト取付け治具１０を用いてベルト５をオルタネータプーリ３に取り付けるベルト取付け方法について、図４〜図６を参照しつつ説明する。
【００３４】
まず、クランクプーリ２、及びウォータポンププーリ４にベルト５を巻掛ける（第１工程）。なお、このとき、ベルト５は、エンジンのクランク軸に取り付けられたクランクプーリ２に巻掛けられているので、その周方向に回転させることが困難な状態にある。
【００３５】
次に、ベルト保持部１３はベルト５の内周側に位置させ、且つ、図４に示すように、プーリ設置部１１の回転軸とオルタネータプーリ３の回転軸とを一致するように、プーリ設置部１１をオルタネータプーリ３の回動溝３ｆに挿入嵌合させることで、プーリ設置部１１を、オルタネータプーリ３の回転軸を中心として、オルタネータプーリ３に対して回動可能となるようにオルタネータプーリ３の側面３ｄに設置する（第２工程）。これにより、回動部１５を回動させることにより、ベルト取付け治具１０をオルタネータプーリ３の回転軸を中心として回動させることができる。
【００３６】
次に、図５に示すように、回動部１５を回動させて、ベルト取付け治具１０をオルタネータプーリ３の回転軸（本体部１２の回転軸）を中心として回動させることで、ベルト保持部１３の傾斜面１３ａの円弧端部１３ｂにより、クランクプーリ２、及びウォータポンププーリ４に巻掛けられたベルト５を掬い上げて、傾斜面１３ａの円弧中央部１３ｃにおいてベルト５を内側から傾斜状に保持する（第３工程）。ここで、回動部１５によるベルト取付け治具１０の回動は、オルタネータプーリ３を積極的に回転させるために行うものではなく、且つ、ベルト５は駆動軸に取り付けられたプーリ２により回転し難くなっているため、この本体部１２の回動に伴って、ベルト５が回転することはない。従って、ベルト取付け治具１０の回動により、ベルト保持部１３の傾斜面１３ａは、ベルト５の内周面を滑りながら（ベルト５の内周面に対して相対移動しながら）、オルタネータプーリ３の外周に沿って回動（移動）することになる。また、従来のようにプーリを回転させてベルトを取り付けるのではなく、ベルト取付け治具１０自体をオルタネータプーリ３の回転軸を中心として回動させることでベルト５を取り付けているため、ベルト５を取り付ける際の適切な力加減でベルト取付け治具１０を回動させることができる。
【００３７】
第３工程の後、図６に示すように、回動部１５を回動させて、ベルト取付け治具１０をオルタネータプーリ３の回転軸（本体部１２の回転軸）を中心としてさらに回動させることで、ベルト保持部１３の傾斜面１３ａにより保持されていたベルト５をガイド部１４の傾斜面１４ａに向けて滑らせながら、オルタネータプーリ３のプーリ溝３ａに係合させていく（第４工程）。ここで、ベルト保持部１３はベルト５を傾斜状に保持しているため、ベルト保持部１３の傾斜面１３ａからガイド部１４の傾斜面１４ａへスムーズにベルト５を滑らせることができる。また、ガイド部１４は、オルタネータプーリ３の外周よりも径方向外側の、このオルタネータプーリ３の外周と対向する位置に位置されており、円弧状の傾斜面１４ａを有しているので、ベルト保持部１３の傾斜面１３ａから滑ってきたベルト５をオルタネータプーリ３のプーリ溝３ａへスムーズに移動させることができる。
【００３８】
また、ベルト取付け治具１０はオルタネータプーリ３の回転軸を中心として回動されるため、ベルト保持部１３の傾斜面１３ａ及びガイド部１４の傾斜面１４ａそれぞれと、オルタネータプーリ３の回転軸との間の距離は回動中一定に保つことができ、その結果、ベルト５をオルタネータプーリ３のプーリ溝３ａに安定的に係合させることができる。
【００３９】
回動部１５を回動させて、ベルト取付け治具１０をオルタネータプーリ３の回転軸（本体部１２の回転軸）を中心として回動させていくことで、オルタネータプーリ３のプーリ溝３ａに対するベルト５の係合の領域を徐々に広範にしていく。そして、オルタネータプーリ３のプーリ溝３ａに対してベルト５が完全に係合して、ベルト５がオルタネータプーリ３に取り付けられると、ベルト取付け治具１０をオルタネータプーリ３から回収して、ベルト５の取り付け作業を終了する。
【００４０】
以上、説明したように、本実施形態によると、ベルト保持部１３をベルト５の内周側に配置させ、回動部１５によりベルト取付け治具１０を本体部１２の回転軸を中心として回動させることで、ベルト５をベルト保持部１３の傾斜面１３ａの円弧端部１３ｂに容易に掬いあげて、この傾斜面１３ａの円弧中央部１３ｃにおいて保持することができる。
【００４１】
また、回動部１５による本体部１２の回動は、オルタネータプーリ３を積極的に回転させるために行うものではなく、且つ、ベルト５は駆動軸に取り付けられたクランクプーリ２により回転し難くなっているため、このベルト取付け治具１０の回動に伴って、オルタネータプーリ３が回転することは殆どなく、またベルト５が回転することはない。従って、回動部１５によるベルト取付け治具１０の回動により、ベルト保持部１３の傾斜面１３ａは、ベルト５の内周面を滑りながらオルタネータプーリ３の外周に沿って回動（移動）することになる。その結果、プーリ２、３、４を回転させることなく、ベルト５をオルタネータプーリ３に取り付けることができるので、回転させることが困難なクランクプーリ２がある場合においても、容易にベルトをプーリ２、３、４に取り付けることができる。
【００４２】
また、ベルト保持部１３の傾斜面１３ａをオルタネータプーリ３の外周に沿って回動させることで、ベルト保持部１３の傾斜面１３ａにおいて傾斜状に保持されたベルト５を、この傾斜面１３ａからガイド部１４の傾斜面１４ａへスムーズに滑らせながらオルタネータプーリ３のプーリ溝３ａに係合させることができる。
【００４３】
またさらに、従来のようにプーリを回転させてベルトを取り付けるのではなく、ベルト取付け治具１０自体をオルタネータプーリ３の回転軸を中心として回動させることでベルト５を取り付けているため、ベルト５を取り付ける際の適切な力加減でベルト取付け治具１０を回動させることができる。
【００４４】
また、ガイド部１４がベルト保持部１３の傾斜面１３ａと連続する傾斜面１４ａを有しているため、ベルト５をベルト保持部１３からガイド部１４へのスムーズに滑らせることができる。また、ガイド部１４は、オルタネータプーリ３の外周よりも径方向外側の、オルタネータプーリ３のプーリ溝３ａに対向した位置に位置されており、且つガイド部１４が上記のように傾斜面１４ａを有しているため、ベルト５をガイド部１４からオルタネータプーリ３のプーリ溝３ａへスムーズに移動させることができる。また、ガイド部１４の傾斜面１４ａは円弧状の傾斜面であるため、ベルト保持部１３から滑ってきたベルト５をオルタネータプーリ３のプーリ溝３ａへスムーズに移動させることができる。
【００４５】
また、回動部１５が、棒状体の回転ハンドルであるため、本体部１２を容易に回動させることができる。
【００４６】
以上、本発明の実施の形態について説明したが、本発明は上述の実施の形態に限られるものではなく、特許請求の範囲に記載した限りにおいて様々な変更が可能なものである。例えば、本実施形態においては、回動部１５はベルト保持部１３に設けられているが、本体部１２に設けられていてもよい。また、本実施形態において、回動部１５は円柱棒状体の回転ハンドルであるが、これに限定されるものではなく、例えばＬ字状の棒体でもよく、本体部１２を回動させることができるものであればよい。
【００４７】
また、本実施形態において、プーリ設置部１１は、オルタネータプーリ３の回動溝３ｆに嵌合させることで、オルタネータプーリ３の回転軸を中心として、オルタネータプーリ３に対して回動可能に側面３ｄに設置されているが、これに限定されるものではなく、例えば、プーリ設置部１１は、オルタネータプーリ３の回転軸（オルタネータの入力軸）に遊嵌されて、この回転軸に対して回動可能にオルタネータプーリ３の側面に当接して設置される円柱状の部材でもよい。即ち、プーリ設置部１１は、オルタネータプーリ３の側面３ｄに設置され、オルタネータプーリ３の回転軸を中心として、オルタネータプーリ３に対して回動可能な部材であればよい。
【００４８】
また、本実施形態においては、クランクプーリ２、及びウォータポンププーリ４にベルト５を巻掛けた後、ベルト取付け治具１０を用いて、オルタネータプーリ３にベルト５を取り付けているが、クランクプーリ２及びオルタネータプーリ３にベルト５を巻掛けた後に、ベルト取付け治具１０を用いて、ウォータポンププーリ４にベルト５を取り付けてもよい。即ち、ベルト取付け治具１０を用いて最後にベルト５を取り付けるプーリが、従動軸に取り付けられたプーリであればよい。
【００４９】
また、本発明は、２つのプーリや、４以上のプーリに対してベルトを巻掛ける場合にも適用することができる。この場合には、従動軸に取り付けられているプーリの何れかのプーリを、最後にベルトを巻掛けるプーリとし、このプーリにベルトを取り付ける時に、本発明のベルト取付け治具及びベルト取付け方法を用いればよい。
【符号の説明】
【００５０】
２  クランクプーリ（駆動軸に取り付けられたプーリ）
３  オルタネータプーリ（従動軸に取り付けられたプーリ）
３ａ  プーリ溝
３ｄ、３ｅ  プーリの側面
４  ウォータポンププーリ（従動軸に取り付けられたプーリ）
５  ベルト
１０  ベルト取付け治具
１１  プーリ設置部
１２  本体部
１３  ベルト保持部
１３ａ  ベルト保持部の傾斜面
１４  ガイド部
１４ａ  ガイド部の傾斜面
１５  回動部
【図１】
2012087843.tif 000003
【図２】
2012087843.tif 000004
【図３】
2012087843.tif 000005
【図４】
2012087843.tif 000006
【図５】
2012087843.tif 000007
【図６】
2012087843.tif 000008